(57)【要約】      （修正有）【課題】装飾カバーを容易に装着できるとともに、使用中に装飾カバーが脱落し難く、衣服のアイロン掛けを容易に行うことができる衣服用ボタンおよび装飾ボタンを提供する。【解決手段】ボタン本体１０と、ボタン本体１０の表面に固着された板状の磁石２０と、ボタン本体１０の裏面に設けられ、糸通し孔３１が該裏面に平行な方向に形成された凸部３０と、を備え、磁石２０と装飾カバー１００の裏面側に設けられた磁石部１２０との間で作用する磁力によって装飾カバー１００をボタン本体１０の表面側に吸着する衣服用ボタン１であって、ボタン本体１０の表面の周縁に設けられ、磁石２０の厚み方向に磁石２０を超えて延びる突部をさらに備える。【選択図】図７
2019097688.tif 000002
【特許請求の範囲】
【請求項１】
ボタン本体と、
前記ボタン本体の表面に固着された板状の磁石と、
前記ボタン本体の裏面に設けられ、糸通し孔が前記裏面に平行な方向に形成された凸部と、
を備え、前記磁石と装飾カバーの裏面側に設けられた磁石部との間で作用する磁力によって前記装飾カバーを前記ボタン本体の表面側に吸着する衣服用ボタンであって、
前記ボタン本体の前記表面の周縁に設けられ、前記磁石の厚み方向に前記磁石を超えて延びる突部をさらに備えることを特徴とする衣服用ボタン。
【請求項２】
前記ボタン本体に前記磁石に達する貫通孔が形成されていることを特徴とする請求項１に記載の衣服用ボタン。
【請求項３】
前記凸部は平面視十字形状であり、前記十字形状の交差部から前記十字形状の各端部の間にそれぞれ前記糸通し孔が形成されていることを特徴とする請求項１又は２に記載の衣服用ボタン。
【請求項４】
請求項１〜３のいずれか1項に記載の衣服用ボタンと、前記衣服用ボタンに着脱自在に装着される装飾カバーと、を有する装飾ボタンであって、前記装飾カバーは、
台座部と、
前記台座部の表面側に設けられた装飾部と、
前記台座部の裏面側に該裏面より突出して設けられた磁石部と、
を備え、前記磁石部の前記突出した部分が、前記衣服用ボタンの前記突部の内壁と前記磁石の表面とで形成された凹部に嵌入されることを特徴とする装飾ボタン。
【請求項５】
前記衣服用ボタンは、前記ボタン本体の前記突部の上面に凸状に湾曲した湾曲凸部を有し、前記装飾カバーは、前記台座部の前記裏面の周縁に凹状に湾曲した湾曲凹部を有し、前記装飾カバーが前記衣服用ボタンに装着されたとき、前記湾曲凸部が前記湾曲凹部に嵌入されることを特徴とする請求項４に記載の装飾ボタン。
【発明の詳細な説明】
【技術分野】
【０００１】
本発明は、衣服用ボタンおよび衣服用ボタンに装飾カバーが装着された装飾ボタン（以下、単に「装飾ボタン」ともいう）に関する。
【背景技術】
【０００２】
衣服用ボタンに装飾カバーを被せて装飾ボタンを構成することは既に知られている（例えば、特許文献１、特許文献２参照）。
【０００３】
特許文献１には、衣服に縫い付けられたボタンに被覆される装飾カバーが開示されている。この装飾カバーは、袋状のカバー本体と、カバー本体の表面に施された装飾部と、カバー本体の裏側に形成された開口部とを備えて構成されている。カバー本体は伸縮性のある樹脂材料より製造されている。開口部の径は、カバー本体が伸縮していない状態においてはボタンの径よりも小さくなっており、カバー本体が弾性変形して開口部が広げられた状態においてボタンの径よりも大きくすることができる。使用時には、ボタンに装飾カバーが取り付けられた状態で、衣服のボタンホールに通して衣服の重なり部分を留める。
【０００４】
特許文献２には、装飾が施された表層部材（装飾カバー）を取替え可能な装飾ボタンが開示されている。この装飾ボタンは、衣服への取付部を有する基板部材と、装飾が施されかつ基板部材に着脱可能に取り付けられる表層部材と、を備えている。表層部材には永久磁石が設けられ、基板部材には磁性部材が設けられている。基板部材と表層部材は磁力により結合し装飾ボタンが形成されるようになっている。
【先行技術文献】
【特許文献】
【０００５】
【特許文献１】登録実用新案第３１９４３２９号公報
【特許文献２】特開平９−２３８７１０号公報
【発明の概要】
【発明が解決しようとする課題】
【０００６】
しかしながら、特許文献１に記載の装飾ボタンにあっては、ボタンに装飾カバーを装着する際にカバー本体の開口部を指で広げながらボタンに被せなければならず、装着が容易でなかった。また、金属など剛性の高い材料からなる装飾カバーを装着することはできなかった。
【０００７】
また、特許文献２に記載の装飾ボタンにあっては、表層部材の永久磁石と基板部材に設けられた薄い鉄板とが磁力により結合される構成であり、結合力が十分ではなく、装飾カバーが脱落する懸念があった。特に、装飾カバーに高価な宝石などが取り付けられている場合には、装飾カバーの脱落を確実に防止する必要があった。
【０００８】
また、特許文献２に記載の装飾ボタンにあっては、衣服にアイロン掛けする場合に基板部材から装飾カバーおよび永久磁石を取り外さなければならなかった。永久磁石が装飾カバーと別部品として構成されている場合には、永久磁石を装飾カバーから取り外すと共に、基板部材からも取り外す必要があり、特に、磁力の強い永久磁石の場合には取り外し作業が容易ではなかった。
【０００９】
本発明は、上述のような課題を解決するためになされたもので、装飾カバーを容易に装着できるとともに、使用中に装飾カバーが脱落し難く、衣服のアイロン掛けを容易に行うことができる衣服用ボタンおよび装飾ボタンを提供することを目的とする。
【課題を解決するための手段】
【００１０】
本発明に係る衣服用ボタンは、上記目的達成のため、ボタン本体と、前記ボタン本体の表面に固着された板状の磁石と、前記ボタン本体の裏面に設けられ、糸通し孔が前記裏面に平行な方向に形成された凸部と、を備え、前記磁石と装飾カバーの裏面側に設けられた磁石部との間で作用する磁力によって前記装飾カバーを前記ボタン本体の表面側に吸着する衣服用ボタンであって、前記ボタン本体の前記表面の周縁に設けられ、前記磁石の厚み方向に前記磁石を超えて延びる突部をさらに備えることを特徴とする。
【００１１】
上述のように、本発明に係る衣服用ボタンは、ボタン本体の表面に固着された板状の磁石を有し、この磁石と装飾カバーの裏面側に設けられた磁石部との間で作用する磁力によって装飾カバーをボタン本体の表面側に吸着するようになっている。これにより、剛性の高い装飾カバーであってもボタンに容易にワンタッチで装着することができる。
【００１２】
また、本発明に係る衣服用ボタンは、衣服用ボタンの磁石と装飾カバーの磁石部とが磁力により結合する構成となっているので、従来の磁石と薄い鉄板の構成に比べ、結合力が強く、使用中に装飾カバーが脱落し難い。
【００１３】
しかも、本発明に係る衣服用ボタンは、ボタン本体の表面の周縁に設けられ、磁石の厚み方向に磁石を超えて延びる突部をさらに備えている。これにより、衣服へのアイロン掛け時に、アイロンやプレス機が、衣服用ボタンの磁石自体に接触し難くなっている。これにより、アイロン掛け時に磁石が熱による損傷を受け難い。よって、衣服用ボタンから磁石を取り外すことなく、衣服のアイロン掛けを容易に行うことができる。
【００１４】
また、本発明に係る衣服用ボタンは、前記ボタン本体に前記磁石に達する貫通孔が形成されていてもよい。
【００１５】
この構成により、衣服用ボタンから磁石を取り外して交換する場合に、衣服用ボタンの裏面側から貫通孔に細い棒等を差し込んで磁石を押し出すことができるようになっている。これにより、磁石の交換作業が容易になる。
【００１６】
また、本発明に係る衣服用ボタンは、前記凸部は平面視十字形状であり、前記十字形状の交差部から前記十字形状の各端部の間にそれぞれ前記糸通し孔が形成された構成としてもよい。
【００１７】
この構成により、衣服用ボタンの表面を、衣服のボタン取付け部の布面に平行に固定することができ、装飾カバーの装飾部が下を向かず正面（該布面に垂直な方向）を向いた状態を保持することができる。これにより、装飾効果を高めることができる。
【００１８】
また、本発明に係る装飾ボタンは、上記いずれかに記載の衣服用ボタンと、前記衣服用ボタンに着脱自在に装着される装飾カバーと、を有する装飾ボタンであって、前記装飾カバーは、台座部と、前記台座部の表面側に設けられた装飾部と、前記台座部の裏面側に該裏面より突出して設けられた磁石部と、を備え、前記磁石部の前記突出した部分が、前記衣服用ボタンの前記突部の内壁と前記磁石の表面とで形成された凹部に嵌入されることを特徴とする。
【００１９】
この構成により、装飾カバーの磁石部の突出した部分が、衣服用ボタンの表面側に形成された凹部に嵌入されるので、装飾カバーが横ずれすることがない。
【００２０】
また、本発明に係る装飾ボタンでは、前記衣服用ボタンは、前記ボタン本体の前記突部の上面に凸状に湾曲した湾曲凸部を有し、前記装飾カバーは、前記台座部の前記裏面の周縁に凹状に湾曲した湾曲凹部を有し、前記装飾カバーが前記衣服用ボタンに装着されたとき、前記湾曲凸部が前記湾曲凹部に嵌入されるようにしてもよい。
【００２１】
この構成により、衣服用ボタンに装飾カバーが装着された状態において、装飾カバーを少し回転させることにより、湾曲凸部が湾曲凹部から外れて装飾カバーの台座部の裏面周縁部に乗り上げ、磁石と磁石部との間に若干の隙間ができ、両者の磁力による結合力が小さくなる。磁力による結合力が小さくなるので、装飾カバーを衣服用ボタンから取り外すのが容易である。
【発明の効果】
【００２２】
本発明によれば、装飾カバーを容易に装着できるとともに、使用中に装飾カバーが脱落し難く、衣服のアイロン掛けを容易に行うことができる衣服用ボタンおよび装飾ボタンを提供することを目的とする。
【図面の簡単な説明】
【００２３】
【図１】本発明の第１の実施形態に係る衣服用ボタンの斜視図である。
【図２】（ａ）は図１の衣服用ボタンの側面図であり、（ｂ）は底面図である。
【図３】図２（ｂ）のＡ−Ａ線断面図である。
【図４】本発明の第１の実施形態に係る装飾カバーの斜視図である。
【図５】図４の装飾カバーのＢ−Ｂ線断面図である。
【図６】（ａ）は本発明の第１の実施形態に係る衣服用ボタンに装飾カバーを装着する前の状態を示す図であり、（ｂ）は装着後の状態（装飾ボタン）を示す図である。
【図７】図６（ｂ）のＣ−Ｃ線断面図である。
【図８】本発明の第２の実施形態に係る衣服用ボタンを示し、（ａ）はその側面図、（ｂ）は底面図である。
【図９】本発明の第３の実施形態に係る装飾ボタンを示し、（ａ）はその装飾カバーの断面図、（ｂ）は装飾ボタンの断面図である。
【図１０】本発明の第４の実施形態に係る装飾ボタンの部分拡大側面図である。
【発明を実施するための形態】
【００２４】
以下、本発明の実施の形態について、図面を参照して説明する。
【００２５】
［第１の実施形態］
本発明の第１の実施形態に係る衣服用ボタン１は、ワイシャツ、スーツ、背広、各種上着などの衣服の打ち合せ部分を留める具である。具体的には、衣服用ボタン１は、衣服の重なる部分の一方にあけたボタンホールやループにくぐらせることで、衣服の重なる部分を留めるものである。また、衣服用ボタン１は、留め具としての機能を有さず、単に衣服の装飾用に付けるボタンであってもよい。
【００２６】
図１〜図３に示すように、本実施形態に係る衣服用ボタン１は、ボタン本体１０と、磁石２０と、糸通し孔３１が形成された凸部３０とを備えている。
【００２７】
図２（ｂ）および図３に示すように、ボタン本体１０は、略円板状の形態を有し、その周縁下端部に断面視円弧状に湾曲した湾曲部１０ｃを有している。ボタン本体１０の表面１０ａの周縁には、環状の突部１４が設けられている。この環状の突部１４は、磁石２０の厚み方向に磁石２０を超えて延びている。
【００２８】
図２に示すように、凸部３０は、角部が若干丸みを帯びた略直方体形状であり、ボタン本体１０の裏面１０ｂの中央に設けられている。この凸部３０には、ボタン本体１０の裏面１０ｂに平行な方向に２つの糸通し孔３１が形成されている。糸通し孔３１を利用して衣服用ボタン１を衣服の布地に糸で縫い付けることができる。
【００２９】
ボタン本体１０および凸部３０は、金属製であるが、合成樹脂、ガラスなど他の材料で構成してもよい。また、ボタン本体１０および凸部３０は、磁性材料で構成されているが、非磁性材料で構成してもよい。また、ボタン本体１０および凸部３０は一体成形されているが、それぞれ別体で構成し接着、溶接等の任意の手段により連結してもよい。
【００３０】
図１および図３に示すように、磁石２０は円板状であり、略円板状のボタン本体１０の表面１０ａに、ボタン本体１０と同心状になるように、例えば接着剤により固着されている。
【００３１】
磁石２０は、希土類磁石であるネオジム磁石である。ネオジム磁石は、ネオジム−鉄−ボロン合金からなる。磁石２０としては、ネオジム磁石に限定されるものではなく、サマリウム鉄窒素磁石、サマリウムコバルト磁石、プラセオジム磁石など他の希土類磁石でもよい。また、磁石２０は、希土類磁石に限定されるものではなく、アルニコ磁石、フェライト磁石でもよい。磁石２０は、表面がニッケルなどでめっき処理されていてもよい。
【００３２】
図２（ｂ）および図３に示すように、ボタン本体１０には磁石２０に達する貫通孔１５が形成されている。具体的には、２個の貫通孔１５が、ボタン本体１０の裏面１０ｂにおいて凸部３０を挟んで対象な位置に、ボタン本体１０の表面１０ａから裏面１０ｂに向けて貫通している。衣服用ボタン１から磁石２０を取り外して交換する場合に、衣服用ボタン１の裏面１０ｂ側から貫通孔１５に細い棒等を差し込んで磁石２０を押し出すことができるようになっている。貫通孔１５の個数は２に限定されず、１以上であればよく、貫通孔１５の位置についても限定されるものではなく、ボタン本体１０の裏面１０ｂの任意の場所に設けることができる。
【００３３】
衣服用ボタン１は、磁石２０と装飾カバー１００の裏面側に設けられた磁石部１２０との間で作用する磁力によって装飾カバー１００をボタン本体１０の表面１０ａ側に吸着するようになっている。吸着時には、磁力を高めるために、磁石２０と磁石部１２０とは当接しているが、磁石２０と磁石部１２０との間に隙間があってもよい。
【００３４】
次に、本実施の形態に係る装飾カバー１００について説明する。
【００３５】
図４および図５に示すように、本実施形態に係る装飾カバー１００は、台座部１１０と、台座部１１０の表面１１０ａ側に設けられた装飾部１３０と、台座部１１０の裏面１１０ｂ側に該裏面１１０ｂより突出して設けられた磁石部１２０とを備えている。
【００３６】
台座部１１０は、略円板状の形態を有し、その裏面１１０ｂに平面視円形の凹状部１１２が形成されている。この凹状部１１２に円板状の磁石部１２０が嵌入されている。磁石部１２０の上面１２０ａと台座部１１０の裏面１１０ｂ（凹状部１１２）とは例えば接着剤などにより固着されている。磁石部１２０の厚みは、台座部１１０の凹状部１１２の深さより大きくなっている。すなわち、磁石部１２０は台座部１１０の裏面周縁部１１３より下方に突出している。
【００３７】
磁石部１２０は、希土類磁石であるネオジム磁石である。ネオジム磁石は、ネオジム−鉄−ボロン合金からなる。磁石部１２０としては、ネオジム磁石に限定されるものではなく、サマリウム鉄窒素磁石、サマリウムコバルト磁石、プラセオジム磁石など他の希土類磁石でもよい。また、磁石部１２０は、希土類磁石に限定されるものではなく、アルニコ磁石、フェライト磁石でもよい。磁石部１２０は、表面がニッケルなどでめっき処理されていてもよい。
【００３８】
装飾部１３０は、台座部１１０の表面中央に大きめの宝石が嵌めこまれ、その周囲にも小さめの複数の宝石がちりばめられている。装飾部１３０の構成はこれに限定されず、台座部１１０に絵や模様が描かれたものでもよいし、単に台座部を光沢のある貴金属で構成してもよく、装飾性のある任意の構成を採用できる。台座部１１０は、金属製であるが、合成樹脂、ガラスなど他の材料で構成してもよい。また、台座部１１０は、磁性材料で構成されているが、非磁性材料で構成してもよい。
【００３９】
次に、本実施形態に係る装飾ボタン２００について説明する。
【００４０】
図６（ａ）は本実施形態に係る衣服用ボタン１に装飾カバー１００を装着する前の状態を示す図であり、図６（ｂ）は装着後の状態の装飾ボタン２００を示す図である。図６に示すように、装飾ボタン２００は、衣服用ボタン１と装飾カバー１００とを有している。図６では、使用態様の説明のため、衣服用ボタン１は、糸通し孔３１を用いて衣服５０の布地に縫付けられている。
【００４１】
図７は図６（ｂ）のＣ−Ｃ線断面図である。図７に示すように、装飾ボタン２００は、装飾カバー１００の磁石部１２０の突出した部分が、衣服用ボタン１の突部１４の内壁１４ａと磁石２０の表面２０ａとで形成された凹部１６に嵌入されている。図７では、衣服用ボタン１の磁石２０と装飾カバー１００の磁石部１２０とは当接している。
【００４２】
次に、作用効果について説明する。
【００４３】
本実施形態に係る衣服用ボタン１は、ボタン本体１０の表面１０ａに固着された板状の磁石２０を有し、この磁石２０と装飾カバー１００の裏面側に設けられた磁石部１２０との間で作用する磁力によって装飾カバー１００をボタン本体１０の表面１０ａ側に吸着するようになっている。これにより、剛性の高い装飾カバーであってもボタンに容易にワンタッチで装着することができる。
【００４４】
また、本実施形態に係る衣服用ボタン１は、衣服用ボタン１の磁石２０と装飾カバー１００の磁石部１２０とが磁力により結合する構成となっているので、従来の磁石と薄い鉄板の構成に比べ、結合力が強く、使用中に装飾カバー１００が脱落し難い。
【００４５】
しかも、本実施形態に係る衣服用ボタン１は、ボタン本体１０の表面１０ａの周縁に設けられ、磁石２０の厚み方向に磁石２０を超えて延びる突部１４をさらに備えている。これにより、衣服へのアイロン掛け時に、アイロンやプレス機が、衣服用ボタン１の磁石２０自体に接触し難くなっている。これにより、アイロン掛け時に磁石２０が熱による損傷を受け難い。よって、衣服用ボタン１から磁石２０を取り外すことなく、衣服のアイロン掛けを容易に行うことができる。特に、ネオジム磁石は耐熱温度が比較的低く（例えば、８０℃程度）、熱に弱いので、突部１４の構成はアイロン掛け時の磁石２０に対する過度な加熱を防ぐ上で効果的である。
【００４６】
また、本実施形態に係る衣服用ボタン１は、ボタン本体１０に磁石２０に達する貫通孔１５が形成されている。この構成により、衣服用ボタン１から磁石２０を取り外して交換する場合に、衣服用ボタン１の裏面側から貫通孔１５に細い棒等を差し込んで磁石２０を押し出すことができるようになっている。これにより、磁石２０の交換作業が容易になる。
【００４７】
また、本実施形態に係る装飾ボタン２００は、装飾カバー１００の磁石部１２０の突出した部分が、衣服用ボタン１の表面側に形成された凹部１６に嵌入されるので、装飾カバー１００が横ずれすることがない。
【００４８】
［第２の実施形態］
次に、本発明の第２の実施形態に係る衣服用ボタン１Ａを説明する。
【００４９】
本実施形態に係る衣服用ボタン１Ａは、糸通し孔３１Ａが形成された凸部３０Ａが平面視十字形状（プラス（＋）形状）である点で平面視マイナス（−）形状である第１の実施形態と異なっている。その他の構成は第１の実施形態と同一であり、同一の構成については同一の符号を付し、詳細な説明は省略する。
【００５０】
図８は、第２の実施形態に係る衣服用ボタン１Ａを示し、（ａ）はその側面図、（ｂ）は底面図である。図８に示すように、ボタン本体１０の裏面１０ｂに形成された凸部３０Ａは平面視十字形状であり、十字形状の交差部から十字形状の各端部の間にそれぞれ糸通し孔３１Ａが裏面１０ｂに平行な方向に計４個形成されている。
【００５１】
この構成により、衣服用ボタン１Ａの表面を、衣服のボタン取付け部の布面に平行に固定することができる。これにより、衣服用ボタン１Ａに装飾カバー１００を取り付けたとき、装飾カバー１００の装飾部１３０が下を向かず正面（該布面に垂直な方向）を向いた状態に保持することができ、装飾効果を十分に発揮することができる。
【００５２】
［第３の実施形態］
次に、本発明の第３の実施形態に係る装飾ボタン２００Ａを説明する。
【００５３】
本実施形態に係る装飾ボタン２００Ａは、装飾カバー１００Ａの台座部１１０の裏面の周縁に突状部１１４が形成されている点で第１の実施形態と異なっている。その他の構成は第１の実施形態と同一であり、同一の構成については同一の符号を付し、詳細な説明は省略する。
【００５４】
図９は、本発明の第３の実施形態に係る装飾ボタン２００Ａを示し、（ａ）はその装飾カバー１００Ａの断面図、（ｂ）は装飾ボタン２００Ａの断面図である。図９に示すように、装飾カバー１００Ａは、台座部１１０の裏面１１０ｂの周縁に突状部１１４が形成されている。装飾カバー１００Ａが衣服用ボタン１に装着されると、この突状部１１４の内側凹部に衣服用ボタン１がその表面側から嵌入する。すなわち、装飾カバー１００Ａの突状部１１４の内壁１１４ａが衣服用ボタン１の突部１４の外周面１４ｃに対向する。この構成により、装飾ボタン２００Ａの装飾カバー１００Ａが衣服用ボタン１に対して横ずれしないようになっている。
【００５５】
［第４の実施形態］
次に、本発明の第４の実施形態に係る装飾ボタン２００Ｂを説明する。
【００５６】
図１０に示すように、本実施形態に係る装飾ボタン２００Ｂは、衣服用ボタン１Ｂのボタン本体１０の突部１４の上面１４ｂに、凸状に湾曲した湾曲凸部１８が形成されている。湾曲凸部１８は、略半円板形状であるが、これに限定されず、半楕円板形状など任意の湾曲形状であってよい。また、装飾カバー１００Ｂの台座部１１０の裏面周縁部１１３に、湾曲凸部１８に適合するように凹状に湾曲した湾曲凹部１１８が形成されている。湾曲凸部１８と湾曲凹部１１８の個数は、それぞれ１個であるが、これに限定されず、１以上の任意の数（または対数）でよい。
【００５７】
本実施形態では、衣服用ボタン１Ｂ側に湾曲凸部１８が設けられ、装飾カバー１００Ｂ側に湾曲凹部１１８が設けられているが、凹凸関係はこれに限定されず、衣服ボタン１Ｂ側に湾曲凹部を設け、装飾カバー１００Ｂ側に湾曲凸部を設けてもよいことは勿論である。
【００５８】
装飾カバー１００Ｂは、湾曲凸部１８が湾曲凹部１１８に嵌入するように、衣服用ボタン１Ｂに装着される。衣服用ボタン１Ｂに装飾カバー１００Ｂが装着された状態において、装飾カバー１００Ｂを、台座部１１０の平面視中心を通る中心軸に対して少し回転させることにより、湾曲凸部１８が湾曲凹部１１８から外れて装飾カバー１００Ｂの台座部１１０の裏面周縁部１１３に乗り上げる。これにより、磁石２０と磁石部１２０との間に若干の隙間ができ、両者の磁力による結合力が小さくなる。この状態で装飾カバー１００Ｂを衣服用ボタン１Ｂから取り外す。磁力による結合力が小さくなっているので、装飾カバー１００Ｂの取り外しが容易である。
【００５９】
以上述べたように、本発明は、装飾カバーを容易に装着できるとともに、使用中に装飾カバーが脱落し難く、衣服のアイロン掛けを容易に行うことができるという効果を有し、衣服用ボタンおよび装飾ボタンの全般に有用である。
【符号の説明】
【００６０】
１、１Ａ、１Ｂ  衣服用ボタン
１０  ボタン本体
１０ａ  ボタン本体の表面
１０ｂ  ボタン本体の裏面
１０ｃ  湾曲部
１４  突部
１４ａ  突部の内壁
１４ｂ  突部の上面
１４ｃ  突部の外周面
１５  貫通孔
１６  凹部
１８  湾曲凸部
２０  磁石
２０ａ  磁石の表面
３０、３０Ａ  凸部
３１、３１Ａ  糸通し孔
５０  衣服
１００、１００Ａ、１００Ｂ  装飾カバー
１１０  台座部
１１０ａ  台座部の表面
１１０ｂ  台座部の裏面
１１２  凹状部
１１３  裏面周縁部
１１４  突状部
１１８  湾曲凹部
１２０  磁石部
１２０ａ  磁石部の上面
１２０ｂ  磁石部の下面
１３０  装飾部
２００、２００Ａ、２００Ｂ  装飾ボタン
【図１】
2019097688.tif 000003
【図２】
2019097688.tif 000004
【図３】
2019097688.tif 000005
【図４】
2019097688.tif 000006
【図５】
2019097688.tif 000007
【図６】
2019097688.tif 000008
【図７】
2019097688.tif 000009
【図８】
2019097688.tif 000010
【図９】
2019097688.tif 000011
【図１０】
2019097688.tif 000012
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
ボタン本体と、
前記ボタン本体の表面に固着された板状の磁石と、
前記ボタン本体の裏面に設けられ、糸通し孔が前記裏面に平行な方向に形成された凸部と、
を備え、前記磁石と装飾カバーの裏面側に設けられた磁石部との間で作用する磁力によって前記装飾カバーを前記ボタン本体の表面側に吸着する衣服用ボタンであって、
前記ボタン本体の前記表面の周縁に設けられ、前記磁石の厚み方向に前記磁石を超えて延びる突部をさらに備え、前記ボタン本体に前記磁石に達する貫通孔が形成されていることを特徴とする衣服用ボタン。
【請求項２】
前記凸部は平面視十字形状であり、前記十字形状の交差部から前記十字形状の各端部の間にそれぞれ前記糸通し孔が形成されていることを特徴とする請求項１に記載の衣服用ボタン。
【請求項３】
請求項１又は２に記載の衣服用ボタンと、前記衣服用ボタンに着脱自在に装着される装飾カバーと、を有する装飾ボタンであって、前記装飾カバーは、
台座部と、
前記台座部の表面側に設けられた装飾部と、
前記台座部の裏面側に該裏面より突出して設けられた磁石部と、
を備え、前記磁石部の前記突出した部分が、前記衣服用ボタンの前記突部の内壁と前記磁石の表面とで形成された凹部に嵌入されることを特徴とする装飾ボタン。
【請求項４】
前記衣服用ボタンは、前記ボタン本体の前記突部の上面に凸状に湾曲した湾曲凸部を有し、前記装飾カバーは、前記台座部の前記裏面の周縁に凹状に湾曲した湾曲凹部を有し、前記装飾カバーが前記衣服用ボタンに装着されたとき、前記湾曲凸部が前記湾曲凹部に嵌入されることを特徴とする請求項３に記載の装飾ボタン。
【手続補正２】
【補正対象書類名】明細書
【補正対象項目名】０００９
【補正方法】変更
【補正の内容】
【０００９】
本発明は、上述のような課題を解決するためになされたもので、装飾カバーを容易に装着できるとともに、使用中に装飾カバーが脱落し難く、衣服のアイロン掛けを容易に行うことができ、しかも、磁石の交換作業が容易になる衣服用ボタンおよび装飾ボタンを提供することを目的とする。
【手続補正３】
【補正対象書類名】明細書
【補正対象項目名】００５９
【補正方法】変更
【補正の内容】
【００５９】
以上述べたように、本発明は、装飾カバーを容易に装着できるとともに、使用中に装飾カバーが脱落し難く、衣服のアイロン掛けを容易に行うことができ、しかも、磁石の交換作業が容易になるという効果を有し、衣服用ボタンおよび装飾ボタンの全般に有用である。